【手続補正書】
【提出日】平成17年5月27日(2005.5.27)
【手続補正１】
【補正対象書類名】特許請求の範囲
【補正対象項目名】全文
【補正方法】変更
【補正の内容】
【特許請求の範囲】
【請求項１】
デジタルデータがパラレルに第1のモジュールから第2のモジュールへ複数のパラレルデータ伝送線路を含む通信チャネル上で転送されるパラレルデータ通信装置において用いられる、前記第2のモジュールに配置された終端回路であって、
当該終端回路は、前記複数のパラレルデータ伝送線路の異なったものにそれぞれ結合された複数の抵抗回路を有し、前記複数の抵抗回路は、前記パラレルデータ伝送線路上の前記データを用いて基準電圧を供給するように適応された、
終端回路。
【請求項２】
デジタルデータがパラレルに第1のモジュールから第2のモジュールへ転送されるパラレルデータ通信装置において、当該装置は、
複数のパラレルデータ伝送線路を含むと共に前記第1の及び第2のモジュール間で前記デジタルデータを転送するように適応された通信チャネルと、
前記第2のモジュールに配置された、前記複数のパラレルデータ伝送線路の異なったものにそれぞれ結合された複数の抵抗回路を含む終端回路であって、前記複数の抵抗回路は、前記パラレルデータ伝送線路上の前記データを用いて基準電圧を供給するように適応された、終端回路と、
を有する装置。
【請求項３】
請求項2に記載のパラレルデータ通信装置において、前記基準電圧は、前記複数のパラレルデータ伝送線路の前記異なったもののそれぞれにバイアス電圧を供給する、装置。
【請求項４】
請求項3に記載のパラレルデータ通信装置において、前記バイアス電圧は、前記データを前記データ伝送線路上の符号化されたデータとして表すのに用いられるコードシステムによって規定される、装置。
【請求項５】
請求項4に記載のパラレルデータ通信装置において、更に、前記第1のモジュールに符号化回路を含み、前記符号化回路は、データ値を前記符号化されたデータに変換するように適応された、装置。
【請求項６】
請求項5に記載のパラレルデータ通信装置において、前記第1のモジュールの前記符号化回路は、論理1及び論理0のそれぞれの量に少なくともおおよその均衡を保証するようにデータ値を符号化するように適応された、装置。
【請求項７】
請求項6に記載のパラレルデータ通信装置において、前記符合化されたデータは、論理1及び論理0の前記それぞれの量の厳密な均衡を含む、装置。
【請求項８】
請求項2に記載のパラレルデータ通信装置において、更に、前記第1のモジュールに符号化回路を含み、前記第2のモジュールに復号回路を含む、装置。
【請求項９】
請求項8に記載のパラレルデータ通信装置において、前記第1のモジュールの前記符号化回路は、データ値を対応する符合化されたデータに符合化するように適応され、前記符合化されたデータは論理1及び論理0のそれぞれの量のおおよその均衡を含み、前記第2のモジュールの前記復号回路は、前記符合化されたデータを前記対応するデータ値に復号するように適応された、装置。
【請求項１０】
パラレルデータ通信装置であって、
データ値を対応する符合化されたデータに符合化するように適応された符号化回路とデータドライバの組とを含む第1のモジュールと、
データレシーバの組と、前記符合化されたデータを前記対応するデータ値に復号するように適応された復号回路と、終端回路とを含む第2のモジュールと、
複数のパラレルデータ伝送線路を含むと共に前記第1のモジュールの前記データドライバの組から前記第2のモジュールの前記データレシーバの組へ前記符合化されたデータを転送するように適応された通信チャネルと、
前記第2のモジュールに配置された、前記複数のパラレルデータ伝送線路の異なったものにそれぞれ結合された複数の抵抗回路を含む終端回路であって、前記複数の抵抗回路は、前記パラレルデータ伝送線路上の前記データを用いてバイアス基準電圧を供給するように適応された、終端回路と、
を有する装置。
【請求項１１】
請求項10に記載のパラレルデータ通信装置において、前記通信チャネルは、複数の前記符合化されたデータに同期した少なくとも1つのクロック信号を伝送するクロック信号通信経路を含む、装置。
【請求項１２】
請求項11に記載のパラレルデータ通信装置において、前記クロック信号通信経路は、差動クロック信号を供給するように協調して生成されるクロック信号の対を伝送する、装置。
【請求項１３】
請求項11に記載のパラレルデータ通信装置において、前記符合化されたデータは、論理1及び論理0のそれぞれの量の厳密な均衡を含む、装置。
【請求項１４】
デジタルデータがパラレルに第1のモジュールから第2のモジュールへ複数のパラレルデータ伝送線路を含む通信チャネル上で転送されるパラレルデータ通信装置において用いられる、前記第2のモジュールに配置された終端回路であって、当該終端回路は、
前記複数のパラレルデータ伝送線路の1つに抵抗的に結合するための第1の手段と、
前記複数のパラレルデータ伝送線路の他のものに抵抗的に結合するための第2の手段と、
を含み、
前記第1の及び第2の手段は、前記パラレルデータ伝送線路上の前記データを用いて基準電圧を供給するために互いに結合された、
終端回路。
【請求項１５】
請求項14に記載の終端回路において、ほぼ同数の論理1及び論理0を含むように符号化されたデータを前記パラレルデータ伝送線路上で送信する手段を更に含み、前記基準電圧は、前記パラレルデータ伝送線路上の前記データによってバイアスされる、終端回路。
【請求項１６】
デジタルデータがパラレルに第1のモジュールから第2のモジュールへ転送されるパラレルデータ通信装置において、当該装置は、
複数のパラレルデータ伝送線路を含むと共に前記第1の及び第2のモジュール間で前記デジタルデータを転送するよう適応された通信チャネルと、
前記第2のモジュールに配置された、前記複数のパラレルデータ伝送線路の異なったものにそれぞれ結合された複数の抵抗手段を含む終端手段であって、前記複数の抵抗手段は、前記パラレルデータ伝送線路上の前記データを用いて基準電圧を供給する、終端手段と、
を有する装置。
【請求項１７】
請求項16に記載の装置において、ほぼ同数の論理1及び論理0を含むように符号化されたデータを前記パラレルデータ伝送線路上で送信する手段を更に含み、前記基準電圧は、前記パラレルデータ伝送線路上の前記データによってバイアスされる、装置。
【請求項１８】
デジタルデータがパラレルに第1のモジュールから第2のモジュールへ複数のパラレルデータ伝送線路を含む通信チャネル上で転送され、前記第2のモジュールに終端回路が配置された、パラレルデータ通信装置において用いられる、前記パラレルデータ伝送線路を終端する方法において、
前記複数のパラレルデータ伝送線路に抵抗的に結合して、当該抵抗から、前記パラレルデータ通信線路上の前記データを用いて基準電圧を供給するステップを有する方法。
【請求項１９】
請求項18に記載の方法において、ほぼ同数の論理1及び論理0を含むように符号化されたデータを前記パラレルデータ伝送線路上で送信するステップを更に含み、前記基準電圧は、前記パラレルデータ通信線上の前記データによってバイアスされる、方法。
【請求項２０】
請求項18に記載の方法において、同数の論理1及び論理0を含むように符号化されたデータを前記パラレルデータ伝送線路上で送信するステップを更に含み、前記基準電圧は、前記パラレルデータ通信線上の前記データによってバイアスされる、方法。